(57)【要約】【課題】  脱染剤を容易に毛髪に塗布するとともに脱染ムラを防止することができる脱染剤用塗布具及びかかる脱染剤用塗布具を用いた脱染方法を提供する。【解決手段】  酸化染料の酸化重合により生成した多核化合物の発色により毛髪を染色した後、還元剤の還元作用により脱染するための脱染剤を毛髪に塗布するための脱染剤用塗布具１１において、脱染剤を収容する収容容器１２とその収容容器１２に接続され脱染剤を毛髪に塗布する櫛体１３を備え、櫛体１３には複数の櫛歯１５ｂが配設される基台面１４ｃが形成されるとともに該基台面１４ｃ上に収容容器１２の内部と連通路を介して連通する吐出口が１４ｄ形成されている。【選択図】      図１
2006288613.tif 000002
【特許請求の範囲】
【請求項１】
毛髪を染毛剤組成物に含まれる酸化染料の酸化重合により生成した多核化合物の発色により染色した後、還元剤の還元作用により脱染するための脱染剤を毛髪に塗布するための脱染剤用塗布具において、
前記脱染剤を収容する収容容器とその収容容器に接続され脱染剤を毛髪に塗布する櫛体を備え、前記櫛体には複数の櫛歯が配設される基台面が形成されるとともに該基台面上及び櫛歯の根元のうち少なくとも一方に収容容器の内部と連通路を介して連通する吐出口が形成されている脱染剤用塗布具。
【請求項２】
前記櫛体は前記吐出口が前記櫛歯間に設けられる部分と前記吐出口が前記櫛歯間に設けられていない部分を有している請求項１記載の脱染剤用塗布具。
【請求項３】
前記基台面は平面状である請求項１又は請求項２記載の脱染剤用塗布具。
【請求項４】
前記櫛歯が配設されている基台面の幅は１〜５０ｍｍである請求項１〜請求項３の何れか一項記載の脱染剤用塗布具。
【請求項５】
前記脱染剤は還元剤としてアスコルビン酸類、チオグリコール類、システイン類、メルカプト化合物、亜硫酸塩、亜硫酸水素塩及びチオ硫酸塩から選ばれる少なくとも一種を含有する請求項１記載の脱染剤用塗布具。
【請求項６】
前記染毛剤組成物は重合抑制剤を０．００５〜１０重量％含有する請求項１記載の脱染剤用塗布具。
【請求項７】
請求項１〜６に記載される脱染剤用塗布具を用いて毛髪を脱染する脱染方法において、
毛髪を染毛剤組成物に含まれる酸化染料の酸化重合により生成した多核化合物の発色により染色した後、還元剤の還元作用により脱染するための脱染剤を前記脱染剤用塗布具の吐出口から吐出させながら脱染剤用塗布具で毛髪を梳かすことにより塗布し毛髪を脱染する脱染剤用塗布具を用いた脱染方法。
【発明の詳細な説明】
【技術分野】
【０００１】
本発明は、脱染剤用塗布具に係り、詳しくは酸化染料の酸化重合により生成した多核化合物の発色により染色された毛髪に還元剤の還元作用により脱染するための脱染剤を塗布する脱染剤用塗布具及びかかる脱染剤用塗布具を用いた脱染方法に関する。
【背景技術】
【０００２】
一般に、染毛剤組成物として酸化染料、アンモニア等を含有する染色キャリア物質と過酸化水素等の酸化剤から構成される染毛剤組成物が知られている。また従来より、特許文献１に記載されるような染毛剤組成物に含まれる酸化染料の酸化重合により生成した多核化合物の発色により染色された毛髪を還元剤の還元作用により脱染（無色化）するための脱染剤が知られている。かかる脱染剤を用いて毛髪を脱染する場合、染毛剤組成物による染色後、手で脱染したい領域に脱染剤を直接刷り込むことによって脱染させていた。または刷毛又は櫛を使用し刷毛又は櫛の先端に脱染剤を付着させる作業と脱染したい領域にそれを塗布する作業を繰り返すことによって脱染させていた。
【特許文献１】特表２０００−５０４３４８号公報
【発明の開示】
【発明が解決しようとする課題】
【０００３】
しかしながら、手で脱染剤を直接刷り込む方法では時間と手間がかかるという問題があった。また、刷毛又は櫛の先端に還元剤を付着させ、それを脱染したい領域に塗布・刷り込む方法では刷毛又は櫛の先端と頭髪表面の接離作業の繰り返しであるため脱染剤を毛髪の表面に均一に塗布することが難く脱染終了後に毛髪表面に脱染ムラが生ずるという問題があった。
【０００４】
本発明は、脱染剤を容易に毛髪に塗布するとともに脱染ムラを防止することができる脱染剤用塗布具及びかかる脱染剤用塗布具を用いた脱染方法を提供することにある。
【課題を解決するための手段】
【０００５】
上記の目的を達成するために、請求項１に記載の発明は、毛髪を染毛剤組成物に含まれる酸化染料の酸化重合により生成した多核化合物の発色により染色した後、還元剤の還元作用により脱染するための脱染剤を毛髪に塗布するための脱染剤用塗布具において、前記脱染剤を収容する収容容器とその収容容器に接続され脱染剤を毛髪に塗布する櫛体を備え、前記櫛体には複数の櫛歯が配設される基台面が形成されるとともに該基台面上及び櫛歯の根元のうち少なくとも一方に収容容器の内部と連通路を介して連通する吐出口が形成されている。
【０００６】
請求項２に記載の発明は、請求項１に記載の発明において、前記櫛体は前記吐出口が前記櫛歯間に設けられる部分と前記吐出口が前記櫛歯間に設けられていない部分を有している。
【０００７】
請求項３に記載の発明は、請求項１又は請求項２に記載の発明において、前記基台面は平面状である。
請求項４に記載の発明は、請求項１〜請求項３の何れか一項記載の発明において、前記櫛歯が配設されている基台面の幅は１〜５０ｍｍである。
【０００８】
請求項５に記載の発明は、請求項１に記載の発明において、前記脱染剤は還元剤としてアスコルビン酸類、チオグリコール類、システイン類、メルカプト化合物、亜硫酸塩、亜硫酸水素塩及びチオ硫酸塩から選ばれる少なくとも一種を含有する。
【０００９】
請求項６に記載の発明は、請求項１に記載の発明において、前記染毛剤組成物は重合抑制剤を０．００５〜１０重量％含有する。
請求項７に記載の発明は、請求項１〜６に記載される脱染剤用塗布具を用いて毛髪を脱染する脱染方法において、毛髪を染毛剤組成物に含まれる酸化染料の酸化重合により生成した多核化合物の発色により染色した後、還元剤の還元作用により脱染するための脱染剤を前記脱染剤用塗布具の吐出口から吐出させながら脱染剤用塗布具で毛髪を梳かすことにより塗布し毛髪を脱染する。
【発明の効果】
【００１０】
本発明によれば、脱染剤を容易に毛髪に塗布することができるとともに脱染ムラを防止することができる。
【発明を実施するための最良の形態】
【００１１】
以下、本発明の脱染剤用塗布具１１の一実施形態を図１〜図４にしたがって説明する。
図１に示されるように本発明の脱染剤用塗布具１１は、有底略円筒状をなす収容容器１２と該収容容器１２の上端部に接続される櫛体１３とから構成されている。収容容器１２は、握力により容易に変形可能な可撓性の合成樹脂により成型され、薬液としての脱染剤が内部に充填される。収容容器１２内の脱染剤は収容容器１２を手で挟持変形させることにより上部開口部１２ａから櫛体１３へ吐出される。
【００１２】
図１〜図４に示されるように、櫛体１３は有蓋円筒状の櫛体本体１４と正面略長方形状の櫛歯部１５から構成されている。櫛体本体１４は下部が拡径方向にテーパ状に構成され、櫛体本体１４の下部開口部１４ａは収容容器１２の上部開口部１２ａと螺合により接続される。櫛体本体１４の内部には連通路１４ｂが形成され、該連通路１４ｂは収容容器１２に接続された際、収容容器１２内部と連通される。櫛体本体１４の上方先端部から中央部側面にかけて平面状の基台面１４ｃが形成されている。該基台面１４ｃ上には櫛歯部１５が設けられている。
【００１３】
櫛歯部１５は複数の同一形状の櫛歯１５ｂから構成されている。櫛歯１５ｂは頂部に向かって幅が狭くなる略台形平板状に構成されるとともに櫛歯１５ｂの頂部は先端方向に厚みが薄くなるようにテーパ状に構成されている。複数の櫛歯１５ｂは基台面１４ｃ上に所定間隔をおいて櫛体本体１４の軸線に対し直交するように且つ各々が平行に配設される。複数の櫛歯１５ｂが配列することにより形成される複数の櫛歯１５ｂ間のうちの櫛歯部１５の上方、中央及び下方の３箇所において連通路１４ｂと連通されている吐出口１４ｄが形成されている。それにより櫛歯部１５は吐出口１４ｄが櫛歯１５ｂ間に設けられる部分と吐出口１４ｄが櫛歯１５ｂ間に設けられていない部分を有している。吐出口１４ｄは櫛歯１５ｂ間において基台面１４ｃの幅方向中央部に形成されている。
【００１４】
次に、脱染剤用塗布具１１により頭髪に塗布される脱染剤、及び該脱染剤により脱染される染毛剤について説明する。
染毛剤は染料として酸化染毛剤が使用される。染毛剤は第１剤としての酸化染毛剤第１剤（以下、染毛第１剤という。）と第２剤としての酸化染毛剤第２剤（以下、染毛第２剤という。）とから構成されている。染毛第１剤と染毛第２剤が、使用の際に混合調製されることにより、混合物としての染毛混合物を得ることができる。この染毛混合物が毛髪に塗布されることにより、毛髪を染色することができる。そして、この酸化染毛剤によって染色された毛髪は、脱染剤用塗布具１１により頭髪に塗布される脱染剤により脱染することができる。
【００１５】
まず、酸化染毛剤について詳細に説明する。
＜染毛第１剤＞
本実施形態における染毛第１剤には、（Ａ）酸化染料、（Ｂ）アルカリ剤及び（Ｃ）重合抑制剤が含有される。また、この染毛第１剤にはその他の成分として酸化染毛剤の染毛第１剤に通常用いられる成分が含有される。
【００１６】
（Ａ）酸化染料は、（Ｄ）酸化剤による酸化重合によって発色可能な化合物を示し、具体的には、主要中間体及びカプラーに分類される。ここで、（Ａ）成分が酸化重合することによって生成する化合物を多核化合物といい、多核化合物の具体例としては単一種の（Ａ）成分による単独重合体及び複数種の（Ａ）成分による共重合体である。毛髪はこれらの多核化合物によって染色される。
【００１７】
主要中間体としては、フェニレンジアミン類とその塩類、アミノフェノール類とその塩類、ジアミノピリジン類とその塩類等が挙げられる。塩類としては塩酸塩、硫酸塩、酢酸塩等が挙げられる。これらの主要中間体は単独で配合してもよいし、二種以上を組み合わせて配合してもよい。
【００１８】
これらの主要中間体の中でも、生成する多核化合物が還元剤によって脱染され易いことから、好ましくはフェニレンジアミン類とその塩類から選ばれる少なくとも一種、より好ましくはｐ−フェニレンジアミン、トルエン−２，５−ジアミン、Ｎ，Ｎ−ビス（２−ヒドロキシエチル）−ｐ−フェニレンジアミン、Ｎ−（２−ヒドロキシエチル）−Ｎ−エチル−ｐ−フェニレンジアミン、２−（２−ヒドロキシエチル）−ｐ−フェニレンジアミン及びそれらの塩類から選ばれる少なくとも一種、さらに好ましくはＮ，Ｎ−ビス（２−ヒドロキシエチル）−ｐ−フェニレンジアミン及びその塩類から選ばれる少なくとも一種である。
【００１９】
カプラーとしては、レゾルシン、ピロガロール、カテコール、ｍ−アミノフェノール、ｍ−フェニレンジアミン、ｏ−アミノフェノール、２，４−ジアミノフェノール、１，２，４−ベンゼントリオール、トルエン−３，４−ジアミン、トルエン−２，４−ジアミン、ハイドロキノン、α−ナフトール、２，６−ジアミノピリジン、１，５−ジヒドロキシナフタレン、５−アミノ−ｏ−クレゾール、ジフェニルアミン、ｐ−メチルアミノフェノール、フロログルシン、２，４−ジアミノフェノキシエタノール、没食子酸、タンニン酸、没食子酸エチル、没食子酸メチル、没食子酸プロピル、五倍子、１−メトキシ−２−アミノ−４−（２−ヒドロキシエチル）アミノベンゼン、５−（２−ヒドロキシエチルアミノ）−２−メチルフェノール、それらの塩類等が挙げられる。これらのカプラーは単独で配合してもよいし、二種以上を組み合わせて配合してもよい。
【００２０】
これらのカプラーの中でも、生成する多核化合物が還元剤によって脱染され易いことから、好ましくはｍ−フェニレンジアミン、ｏ−アミノフェノール、α−ナフトール、２，６−ジアミノピリジン、５−アミノ−ｏ−クレゾール、２，４−ジアミノフェノキシエタノール、５−（２−ヒドロキシエチルアミノ）−２−メチルフェノール及びそれらの塩類から選ばれる少なくとも一種である。
【００２１】
この（Ａ）成分は、様々な色調に変化させることができることから、主要中間体から選ばれる少なくとも一種及びカプラーから選ばれる少なくとも一種から構成されることが好ましい。
【００２２】
染毛混合物中における（Ａ）成分の含有量は、好ましくは０．０２〜２５重量％、より好ましくは０．２〜１５重量％である。この含有量が０．０２重量％未満であると、十分な染色性が得られないおそれがある。一方、２５重量％を超えて配合しても、染色性は向上せず経済的ではない。
【００２３】
染毛混合物中における主要中間体の含有量は、好ましくは０．０１〜１５重量％、より好ましくは０．１〜１０重量％である。この含有量が０．０１重量％未満であると、十分な染色性が得られないおそれがある。一方、１５重量％を超えて配合しても、染色性は向上せず経済的ではない。
【００２４】
染毛混合物中におけるカプラーの含有量は、好ましくは０．０１〜１０重量％、より好ましくは０．１〜５重量％である。この含有量が０．０１重量％未満であると、十分な染色性が得られないおそれがある。一方、１０重量％を超えて配合しても、染色性は向上せず経済的ではない。
【００２５】
その他、「医薬部外品原料規格」（１９９１年６月発行、薬事日報社）に収載された酸化染料及び酸化染料以外の染料として直接染料等を適宜、配合することもできる。
（Ｂ）アルカリ剤は、毛髪を膨潤させることにより、毛髪に対する（Ａ）成分の浸透性を向上させ、染色性を向上させるために配合される。（Ｂ）成分の具体例としては、アンモニア、アルカノールアミン類、有機アミン類、無機アルカリ、塩基性アミノ酸、それらの塩類等が挙げられる。これらの（Ｂ）成分は単独で配合してもよいし、二種以上を組み合わせて配合してもよい。これらの（Ｂ）成分の中でも、毛髪に対する（Ａ）成分の浸透性を向上させ易いことから、好ましくはアンモニア及びアルカノールアミン類から選ばれる少なくとも一種である。
【００２６】
染毛混合物中における（Ｂ）成分の含有量は、好ましくは０．０１〜０．９重量％、より好ましくは０．０１〜０．５重量％、さらに好ましくは０．０１〜０．３５重量％である。この含有量が０．０１重量％未満であると、毛髪を十分に膨潤させることができないおそれがある。一方、０．９重量％を超えて配合すると、（Ｄ）酸化剤による（Ａ）成分の酸化重合が過剰に促進され、重合割合の高い多核化合物の生成率が高くなるおそれがある。従って、還元剤による脱染が困難となるおそれがある。
【００２７】
（Ｃ）重合抑制剤は、その還元作用によって（Ｄ）酸化剤による（Ａ）成分の酸化重合を抑制し、（Ａ）成分の酸化重合によって生成する多核化合物の重合割合を低く維持するために配合される。（Ｃ）成分の具体例としては、アスコルビン酸類、チオグリコール酸類、システイン類、メルカプト化合物、亜硫酸塩、亜硫酸水素塩、チオ硫酸塩等が挙げられる。
【００２８】
アスコルビン酸類としては、アスコルビン酸、その塩及び誘導体が挙げられる。アスコルビン酸塩の具体例としては、アスコルビン酸ナトリウム、アスコルビン酸カリウム、アスコルビン酸カルシウム、アスコルビン酸アンモニウム、アスコルビン酸モノエタノールアミン、アスコルビン酸ジエタノールアミン等が挙げられる。アスコルビン酸誘導体の具体例としては、エリソルビン酸、エリソルビン酸ナトリウム、アスコルビン酸硫酸エステル二ナトリウム、アスコルビン酸リン酸エステルマグネシウム、パルミチン酸アスコルビル、ステアリン酸アスコルビル、ジパルミチン酸アスコルビル、テトラ２−ヘキシルデカン酸アスコルビル、ミリスチン酸アスコルビル、ラウリン酸アスコルビル、酢酸アスコルビル、プロピオン酸アスコルビル、酒石酸アスコルビル、クエン酸アスコルビル、コハク酸アスコルビル、安息香酸アスコルビル、（アスコルビル／トコフェリル）リン酸カリウム、アスコルビルエチル、アスコルビン酸アラントイン、アスコルビン酸キトサン、アスコルビン酸メチルシラノール、テトラデシルヘキシルアスコルビル、アミノプロピルアスコルビルフォスフェート、アスコルビン酸ポリペプタイド、アスコルビルグルコシド、アスコルビルメチルシラノールペクチネート等が挙げられる。
【００２９】
チオグリコール酸類としては、チオグリコール酸、チオグリコール酸塩及びチオグリコール酸のエステルが挙げられる。チオグリコール酸塩としては、チオグリコール酸アンモニウム、チオグリコール酸ナトリウム等が挙げられる。チオグリコール酸のエステルとしては、グリセリンチオグリコレート等が挙げられる。
【００３０】
システイン類としては、システイン、システイン塩酸塩、Ｎ−アセチル−Ｌ−システイン等が挙げられる。
メルカプト化合物としては、チオグリセロール、チオ乳酸、チオリンゴ酸、システアミン等が挙げられる。亜硫酸塩としては、亜硫酸、亜硫酸アンモニウム、亜硫酸ナトリウム等が挙げられる。亜硫酸水素塩としては、亜硫酸水素アンモニウム、亜硫酸水素ナトリウム等が挙げられる。チオ硫酸塩としては、チオ硫酸、チオ硫酸ナトリウム等が挙げられる。
【００３１】
これらの（Ｃ）成分は単独で配合してもよいし、二種以上を組み合わせて配合してもよい。これらの（Ｃ）成分の中でも、（Ａ）成分の酸化重合を抑制する作用に優れることから、好ましくはアスコルビン酸類及び亜硫酸塩から選ばれる少なくとも一種、より好ましくはアスコルビン酸類から選ばれる少なくとも一種、さらに好ましくはアスコルビン酸及びその塩である。
【００３２】
染毛混合物中における（Ｃ）成分の含有量は、０．００５〜１０重量％、好ましくは０．０１〜７．５重量％、より好ましくは０．０１〜５重量％である。この含有量が０．００５重量％未満であると、（Ａ）成分の酸化重合を十分に抑制できない。一方、１０重量％を超えて配合しても、それ以上の抑制作用が得られない。
【００３３】
この染毛第１剤には、その他の成分として水、界面活性剤、油性成分等が配合される。
水は各成分の溶媒又は分散媒として適量配合される。
界面活性剤は、乳化剤又は可溶化剤として染毛第１剤の安定性を保持するために配合される。界面活性剤としては、非イオン性界面活性剤、カチオン性界面活性剤、アニオン性界面活性剤及び両性界面活性剤が挙げられる。
【００３４】
さらに、その他の成分としてラウリン酸、ミリスチン酸、リノレン酸等の脂肪酸、ソルビトール、マルトース等の糖類、多価アルコール、バチルアルコール、キミルアルコール等のアルキルグリセリルエーテル、アラビアガム、カラヤガム、トラガントガム、アルギン酸ナトリウム、キサンタンガム、セルロース誘導体、架橋ポリアクリル酸、ポリ塩化ジメチルメチレンピペリジウム等の水溶性高分子化合物、パラベン等の防腐剤、ＥＤＴＡ−２Ｎａ等のキレート剤、フェナセチン、８−ヒドロキシキノリン、アセトアニリド、ピロリン酸ナトリウム、バルビツール酸、尿酸、タンニン酸等の安定剤、リン酸、クエン酸、硫酸、酢酸、乳酸、酒石酸等のｐＨ調整剤、植物抽出物、生薬抽出物、ビタミン類、香料、紫外線吸収剤等が挙げられる。また「医薬部外品原料規格」（１９９１年６月発行、薬事日報社）に収載されるものから選ばれる少なくとも一種を配合してもよい。
【００３５】
この染毛第１剤の剤型は、水溶液、分散液、乳化液等の液状、ゲル状、フォーム状、クリーム状等特に限定されない。
＜染毛第２剤＞
この染毛第２剤には（Ｄ）酸化剤が含有される。また、この染毛第２剤にはその他の成分として酸化染毛剤の染毛第２剤に通常用いられる成分が含有される。
【００３６】
（Ｄ）酸化剤は、（Ａ）成分を酸化重合させるとともに、毛髪に含まれるメラニンを脱色させるために配合される。（Ｄ）成分の具体例としては、過酸化水素、過酸化尿素、過酸化メラミン、過炭酸ナトリウム、過炭酸カリウム、過ホウ酸ナトリウム、過ホウ酸カリウム、過硫酸アンモニウム、過酸化ナトリウム、過酸化カリウム、過酸化マグネシウム、過酸化バリウム、過酸化カルシウム、過酸化ストロンチウム、硫酸塩の過酸化水素付加物、リン酸塩の過酸化水素付加物、ピロリン酸塩の過酸化水素付加物等が挙げられる。これらの（Ｄ）成分は単独で配合してもよいし、二種以上を組み合わせて配合してもよい。これらの（Ｄ）成分の中でも、メラニンの脱色力に優れることから、好ましくは過酸化水素である。
【００３７】
染毛混合物中における（Ｄ）成分の含有量は、好ましくは０．０１〜４．５重量％、より好ましくは０．０１〜４．０重量％、さらに好ましくは０．０５〜３．５重量％である。この含有量が０．０１重量％未満であると、メラニンを十分に脱色することができないおそれがある。一方、４．５重量％を超えて配合すると、（Ａ）成分が過剰に酸化重合され、重合割合の高い多核化合物の生成率が高くなるおそれがあり、還元剤による多核化合物の還元が困難となるおそれがある。
【００３８】
この染毛第２剤には、上記染毛第１剤に記載のその他の成分を適宜配合することができる。また、（Ｄ）成分として過酸化水素を配合した場合、過酸化水素の分解を抑制するために、安定化剤を配合することが好ましい。安定化剤の具体例としては、尿素、フェナセチン、スズ酸ナトリウム、エチレングリコールフェニルエーテル、８−オキシキノリン、リン酸等が挙げられる。
【００３９】
この染毛第２剤の剤型は、水溶液、分散液、乳化液等の液状、ゲル状、フォーム状、クリーム状等特に限定されない。
＜染毛混合物＞
酸化染毛剤を使用する際に、上記の染毛第１剤及び染毛第２剤を所定の割合で混合調製することによって染毛混合物を得ることができる。染毛第１剤と染毛第２剤の混合割合は、染毛混合物中における（Ｃ）成分の含有量が０．００５〜１０重量％となるように設定される。例えば、染毛第１剤中の（Ｃ）成分の含有量が０．０１〜２０重量％である場合、染毛第１剤と染毛第２剤を重量基準において１：１の割合で混合調製すればよい。
【００４０】
この染毛混合物の剤型は、液状、クリーム状、ゲル状、フォーム状等特に限定されない。
次に、脱染剤について説明する。本実施形態における脱染剤は脱染剤第１剤（以下、脱染第１剤という。）と脱染剤第２剤（以下、脱染第２剤という。）とから構成されている。脱染第１剤には、水等が含有される。この脱染第１剤は液状、ゲル状又はクリーム状の組成物である。一方、脱染第２剤には、還元剤等が含有される。この脱染第２剤は固体状の組成物である。脱染第１剤と脱染第２剤が、使用の際に混合調製されることにより、脱染第２剤に含有する還元剤が脱染第１剤に溶解した脱染混合物を得ることができる。以下に２剤式脱染剤の代表的なものの例を挙げる。
【００４１】
＜脱染第１剤＞
脱染第１剤には、水の他に、水溶性高分子化合物、界面活性剤、油性成分等の染毛第１剤に記載のその他の成分を適宜配合することができる。
【００４２】
水は、染毛第２剤に含有される還元剤の可溶化剤として配合される。水溶性高分子化合物は、脱染剤に適度な粘度を与える増粘剤として配合される。油性成分は安定した乳化状態を形成させるために配合される。界面活性剤は脱染第１剤の安定性を向上させるために配合される。
【００４３】
＜脱染第２剤＞
脱染第２剤には、還元剤の他に、フマル酸、分散剤等を配合することができる。
還元剤は、毛髪を染色している多核化合物を還元するために配合される。還元剤は、その還元作用によって重合割合の低い多核化合物を解重合又は非共鳴化させる化合物をいう。還元剤としては、重合割合の低い多核化合物を容易に解重合又は非共鳴化させることができることから、上記染毛第１剤の（Ｃ）重合抑制剤として列挙したアスコルビン酸類、チオグリコール酸類、システイン類、メルカプト化合物、亜硫酸塩、亜硫酸水素塩及びチオ硫酸塩から選ばれる少なくとも一種が好ましい。これらの還元剤の中でも、重合割合の低い多核化合物を解重合又は非共鳴化させる作用に優れることから、より好ましくはアスコルビン酸類及びシステイン類から選ばれる少なくとも一種、さらに好ましくはアスコルビン酸類から選ばれる少なくとも一種、最も好ましくはアスコルビン酸である。還元剤としてアスコルビン酸を配合した場合、脱染第２剤及び脱染混合物における臭気を低減することができるとともに、脱染処理後の毛髪における毛髪損傷度を低減することができる。
【００４４】
フマル酸は、重合割合の低い多核化合物の解重合又は非共鳴化によって生成する成分の再酸化を抑制し、毛髪の再着色を抑制するために配合される。
分散剤は、還元剤等が凝集して塊状態を形成することを抑制し、脱染第１剤と脱染第２剤の混合調製の際、脱染第１剤中における脱染第２剤の分散性を向上させるために配合される。分散剤の具体例としては、ステアリン酸カルシウム、ステアリン酸マグネシウム等のステアリン酸金属塩、タルク、結晶セルロース、低置換度ヒドロキシプロピルセルロース、デキストリン等が挙げられる。
【００４５】
＜脱染混合物＞
脱染剤を使用する際に、脱染第１剤と脱染第２剤を所定の割合で混合調製することによって還元剤が水に溶解した脱染混合物を得ることができる。
【００４６】
次に、上記のように構成された脱染剤用塗布具１１の作用を説明する。
脱染剤用塗布具１１による脱染剤の塗布は予め酸化染毛剤により染色された毛髪に対して行なう。酸化染毛剤を使用する際には、まず染毛第１剤と染毛第２剤を混合することによって染毛混合物を調製する。次に、この染毛混合物を刷毛、櫛等の塗布具に付着させ、毛髪に塗布する。この染毛混合物は（Ｂ）成分によってアルカリ性を示すことによって、（Ｄ）成分の酸化力が促進される。そして、（Ｄ）成分の酸化力によって（Ａ）成分の酸化重合反応が開始されるとともに進行し、（Ａ）成分が重合した多核化合物が生成する。生成した多核化合物には、共役系が形成され、多核化合物はその共役系による共鳴構造によって特定の色を発色する。毛髪を一定時間放置すると、（Ｄ）成分の酸化力によって毛髪のメラニンが徐々に脱色されるとともに、重合割合の低い多核化合物の発色によって毛髪の大部分が染色される。
【００４７】
次に、脱染第１剤と脱染第２剤を所定の割合で混合した脱染混合液が収容容器１２に充填される。または予め脱染第１剤と脱染第２剤を収容容器１２内に分離充填し、収容容器１２をしんとうさせることにより脱染第１剤と脱染第２剤を混合攪拌する。脱染混合液は収容容器１２を手で挟持変形させることにより上部開口部１２ａから櫛体１３へ吐出させる。吐出された混合液は櫛体本体１４の内部の連通路１４ｂを通り、吐出口１４ｄから吐出される。吐出口１４ｄから吐出された脱染混合液は所定量を櫛歯１５ｂ間に保持させた後又は脱染混合液を吐出口１４ｄより吐出させながら髪を梳く（コーミング）ことにより染毛剤により染色された頭髪表面に脱染混合液を付着させる。脱染混合液は吐出口１４ｄが形成されている櫛歯１５ｂ間を通過した毛髪にのみ付着される。
【００４８】
脱染混合液が塗布された部分の毛髪は、脱染混合物中の還元剤の還元作用によって毛髪を染色している多核化合物が解重合（分解）又は非共鳴化されることにより脱染（無色化）される。
【００４９】
本実施形態の脱染剤用塗布具１１によれば、以下のような効果を得ることができる。
（１）本実施形態では、櫛歯１５ｂ間の基台面１４ｃ上に吐出口１４ｄを設けた。それにより脱染剤を刷毛又は櫛等の先端に付着させる作業を行うことなく脱染剤用塗布具１１で髪を梳くのみで脱染剤を頭髪表面に付着させることができる。よって、容易に脱染剤を毛髪に塗布することができる。
【００５０】
（２）本実施形態では、吐出口１４ｄは収容容器１２内と連通する構成とした。かかる構成により、脱染剤の吐出口１４ｄからの吐出と脱染剤用塗布具１１による髪を梳く作業を同時に行うことができる。つまり、刷毛又は櫛の先端に還元剤を付着させ、それを脱染したい領域に塗布・刷り込む方法に比べ、櫛歯部１５と頭髪表面の接離作業の繰り返し回数を大幅に低減させることができる。それにより脱染剤を毛髪の表面に均一に塗布する作業が容易となり脱染ムラを防止することができる。
【００５１】
（３）本実施形態では、櫛歯部１５において吐出口１４ｄが櫛歯１５ｂ間に設けられる部分と吐出口１４ｄが櫛歯１５ｂ間に設けられていない部分を有するように構成した。したがって、脱染剤を付着させながら髪を梳くことにより染色された頭髪表面において脱染剤により色を抜く部分と染毛剤の色を残す部分を有するヘアカラーを容易に作成することができる。つまり、ストライプ状の部分的な脱染作業を容易に行うことができる。
【００５２】
従来より、ストライプ状の髪の色を施術する方法としては、アルカリ剤を含有する脱色剤第１剤、酸化剤を含有する脱色剤第２剤及び過硫酸塩を含有する脱色剤第３剤を混合した脱色剤混合剤を用いる方法があった。この脱色剤混合液は、脱色剤第１剤及び第２剤を混合したクリーム状混合物に対して粉末状の脱色剤第３剤を溶解した後、脱色剤混合剤を毛髪の毛束に塗布する際に、毛髪中のメラニンや染料重合物の酸化分解による脱色を行うために繰り返し刷毛やブラシにて塗布しながら、又は手で揉みこむことにより、毛髪に対し刷り込みながら適用する必要があった。このため、脱色したい毛髪領域（ストライプの幅）が狭くなるほど難しく、また、自身の毛髪に対し、上述のような脱色を施すことは容易ではなかった。しかしながら、水溶性の還元剤を用いた脱染剤の毛髪との親和性に着目し、鋭意検討の結果、酸化染毛剤により染色した毛髪に対して、水溶性の還元剤を含有する脱染剤を脱染剤用塗布具１１により適用することにより、自身の頭髪に対し細かいストライプ状様を容易に達成することができる。
【００５３】
（４）本実施形態では、吐出口１４ｄが形成される基台面１４ｃを平面状に構成した。したがって、コーミングの際吐出口１４ｄより吐出された脱染剤が基台面１４ｃ上で引き伸ばされ頭髪表面に均等に塗布される。特に脱染剤が浸透性の高いジェル状の場合、コーミングの際基台面１４ｃで脱染剤が引き伸ばされることにより容易に均等に塗布することが可能となる。
【００５４】
（５）本実施形態では脱染剤に含有される還元剤としてアスコルビン酸類、チオグリコール類、システイン類、メルカプト化合物、亜硫酸塩、亜硫酸水素塩及びチオ硫酸塩から選ばれる少なくとも一種を使用した。したがって、酸化染料が酸化重合して生成した多核化合物を容易に解重合又は非共鳴化させることができる。
【００５５】
（６）本実施形態では重合抑制剤としてアスコルビン酸類等を０．００５〜１０重量％含有する。それにより酸化染料が酸化重合によって生成する多核化合物の重合割合を低く維持することができ、脱染剤中に含まれる還元剤により容易に解重合又は非共鳴化（脱染）させることができる。したがって、脱染剤用塗布具１１による脱染剤の毛髪への塗布による脱染作業を例えば上下一回のコーミング作業で終了させることも可能である。手で脱染剤を直接刷り込む方法や刷毛又は櫛の先端に還元剤を付着させてそれを脱染したい領域に塗布・刷り込む方法に比べ容易に脱染作業を行なうことができる。
【００５６】
なお、上記実施形態は以下のように変更してもよい。
・基台面１４ｃの幅は脱染剤を毛髪に均等に塗布することができる幅であれば特に限定されないが、好ましくは１〜５０ｍｍである。かかる幅であればコーミングの際吐出口１４ｄより吐出された脱染剤が基台面１４ｃ上で引き伸ばされ頭髪表面に均等に塗布することができる。
【００５７】
・櫛歯１５ｂの基台面１４ｃからの高さは脱染剤を毛髪に均等に塗布することができる幅であれば特に限定されないが、好ましくは１〜３０ｍｍである。１ｍｍ以下であると櫛歯１５ｂ間を毛髪が整列通過しないおそれがある。また、３０ｍｍ以上であると櫛歯１５ｂの先端が頭皮に接触した際基台面１４ｃ上に設けられている吐出口１４ｄが頭髪表面に接触しないおそれがある。
【００５８】
・上記実施形態では櫛歯１５ｂは頂部に向かって幅が狭くなる略台形平板状に構成した。しかしながら、櫛歯１５ｂの形状は特に限定されるものではなく、例えば、半円平板状、半楕円平板状、略四角平板状等により構成してもよい。
【００５９】
・上記実施形態では脱染剤が吐出する吐出口１４ｄを基台面１４ｃ上に設けた。しかしながら、櫛歯１５ｂの根元付近に吐出口１４ｄを設けてもよい。かかる構成においても脱染剤を頭髪表面に均等に塗布することができる。
【００６０】
・上記実施形態では吐出口１４ｄを複数の櫛歯１５ｂ間のうちの櫛歯部１５の上方、中央及び下方の３箇所に形成した。しかしながら、吐出口１４ｄの櫛歯部１５における位置、数、全櫛歯１５ｂ間における吐出口１４ｄが形成される割合等は特に限定されない。また、全ての櫛歯１５ｂ間において吐出口１４ｄを設けてもよい。かかる構成によれば容易に頭髪全面に脱染剤を塗布することができる。
【００６１】
・吐出口１４ｄが形成されている櫛歯１５ｂ間の隙間の幅は脱染させたい毛髪の幅に応じ適宜設定することができる。
・上記実施形態では収容容器１２を握力により容易に変形可能な可撓性の合成樹脂により成型し、挟持変形させることにより還元剤を内部から吐出させた。しかしながら、収容容器１２を耐圧性の金属等の材料により成型し、圧縮ガスにより脱染剤を吐出させてもよい。
【００６２】
・上記実施形態において、脱染剤を脱染剤第１剤及び脱染剤第２剤として構成し、使用直前に混合する構成とした。この他に、還元剤、水等の脱染剤を構成する成分をすべて配合した溶液から構成される１剤型の脱染剤としてもよい。また、粉末状等の固体状の還元剤を脱染剤とし、この脱染剤を使用者が水に溶解させて毛髪に適用するように構成してもよい。また、脱染剤第１剤及び脱染剤第２剤を構成する成分を任意に分割し、３剤式以上に構成してもよい。
【００６３】
・上記実施形態において、染毛処理剤を染毛第１剤及び染毛第２剤として構成し、使用直前に混合する構成とした。しかしながら、さらに染毛第１剤及び染毛第２剤を構成する各成分を分離して３剤式以上に構成してもよい。例えば、酸化染料と重合抑制剤を配合する染毛第１剤、アルカリ剤を配合する染毛第２剤及び酸化剤を配合する染毛第３剤からなる染毛処理剤が挙げられる。かかる構成において、酸化染料と重合抑制剤をアルカリ剤が配合される染毛第２剤とは別に構成したことにより、酸化染料と重合抑制剤の保存安定性を高めることができる。また、染毛処理剤を構成する各成分を使用直前にすべて混合して作成する１剤式として構成してもよい。
【００６４】
次に、上記実施形態及び別例から把握できる技術的思想について、それらの効果とともに以下に追記する。
（ａ）前記櫛歯は基台面からの高さが１〜３０ｍｍである脱染剤用塗布具。従って、この（ａ）に記載の発明によれば、基台面を頭髪表面に均等に圧接させることができ脱染剤を頭髪表面に均等に塗布することができる。
【図面の簡単な説明】
【００６５】
【図１】本実施形態の脱染剤用塗布具を示す斜視図。
【図２】本実施形態の脱染剤用塗布具の要部正面図。
【図３】本実施形態の脱染剤用塗布具のＡ−Ａ断面図。
【図４】本実施形態の脱染剤用塗布具のＢ−Ｂ断面図。
【符号の説明】
【００６６】
１１…脱染剤用塗布具、１２…収容容器、１３…櫛体、１４…櫛体本体、１４ｂ…連通路、１４ｃ…基台面、１４ｄ…吐出口、１５…櫛歯部、１５ｂ…櫛歯
【図１】
2006288613.tif 000003
【図２】
2006288613.tif 000004
【図３】
2006288613.tif 000005
【図４】
2006288613.tif 000006